(57)【要約】      （修正有）【課題】壁、窓枠やカーテン直に取り付けて又個人の好みで保持器に全体に造花やアクセサリー等、愛玩動物や山岳や一般風景等の癒しの写真、シールを取り付け常に美的装飾価値に優れた構造のカーテン保持器を提供する。【解決手段】保持器本体１は不燃性樹脂材で一体成型又は樹脂板及び金属板を加工し、外観正面部は角形、半円筒形、ハート形とし、夫々左右に側面を設け、任意に着色や塗装を施す。保持器の片側の側面の先端をＬ形に曲げ、穴１ａを設け壁や窓枠に螺子で固定する。片方の側面はカーテン収納時に、はみ出し防止の形状とする。若し壁や窓枠に取り付けるスペースがない時は保持器本体にある複数個の小孔を糸でカーテン表面の任意の位置に直接固定する。保持器本体には写真、印刷物や装飾部品を取り付ける。左右の両カーテンに共通使用出来る構造とする。【選択図】図１
0003193925.tif 000002
【実用新案登録請求の範囲】
【請求項１】
保持器本体は不燃性樹脂材で一体成型及び樹脂板又は金属板を加工し任意に着色や印刷や塗装をして外観形状はコノ字形の角形、半円筒形、ハート形で左右両側に側面を設けてカーテンを収納出来る大きさ対応する壁、窓枠に固定する時は片側の側面部をＬ形部、平面部に穴を設けてネジで固定する又カーテン表面直に固定する時は保持器の側面と正面の上下にある複数個の穴に糸で固定する構造を基本形とし更に次の各項目を追加する事が出来る構造。
【考案の詳細な説明】
【０００１】  本考案は壁、窓枠やカーテン表面に直接取り付けられる構造のカーテン保持器であり（実用新案登録第３１８７５１７号）を改訂したもので保持器は壁と窓枠に保持器の片側の側面にある穴をネジで固定し又カーテン直に保持器に設けた穴に糸で固定できて保持器内にカーテンを収納する。従って通常のタッセルや窓枠のフックは使用せずカーテンの開閉操作が簡単になり更に保持器には造花やアクセサリー等の装飾品を個人の好みに応じて取り付けが出来る構造の装飾的カーテン保持器である
【背景技術】
【０００２】  通常はカーテンの開閉時にはタッセル等の紐状又は布の帯状でカーテンを束ねて窓枠のフックに掛け外しをする為に操作が面倒であり最近幼児の生命に係わる重大な危険性が発生している。尚閉じた時に高価なタッセルはカーテンの裏側に隠れて見えず装飾的価値が無くなる。これらの欠点を無くす為に先ずタッセルやフックを廃止して安全性の確保と保持器内にカーテンを収納取り出すだけの簡単な操作になり保持器に個人の好みに応じて写真、造花、アクセサリー等の装飾品を自由に取り付けて癒しの空間を楽しむ装飾的価値に優れた保持器である。
【考案の概要】
【考案が解決しようとする課題】
【０００３】  従来のタッセルやフックを廃止して先ず幼児の生命の危険性を排除するこの結果カーテンの開閉時の面倒な操作もなく保持器内にカーテンを収納取り出すだけの簡単な操作に改善される。本考案の保持器は壁，窓枠やカーテン直に取り付けて又個人の好みで保持器に全体に造花やアクセサリー等、愛玩動物や山岳や一般風景等の癒しの写真、シールを取り付け常に美的装飾価値に優れた構造の保持器である。
【課題を解決する為の手段】
【０００４】  保持器の外観構造はコノ字形や正面を円弧状、ハート形にして左右に側面を設ける通常の樹脂材で成型又は樹脂板、金属板加工して任意に着色、塗装、印刷して保持器内にカーテンが収納出来る大きさに対応する。
【０００５】  壁に固定する時は取り付ける側の側面の先端をＬ形に曲げて穴を設けてネジで定する。片方の側面はカーテンが保持器よりはみ出しを防ぐ目的と保持器内にカーテンが収まる大きさに対応する。
【０００６】  窓枠に固定する時は側面は曲げずに側面の先端に穴を設けてネジで固定する。
【０００７】  カーテンに直に固定する時は保持器の側面及び正面の上下に複数の穴を設けて糸でカーテン表面に固定する。
【０００８】  保持器表面には装飾的価値を向上するために愛玩動物、山岳や一般風景の写真や印刷した樹脂や紙のシート、布やレザーを貼り付け又は直接保持器に印刷や塗装をして保持器全体にアクセサリーや造花を取り付けて装飾的価値を高める構造。
【考案の効果】
【０００９】  本保持器はタッセルとフックを廃止し幼児の生命の危険性を排除して安全性を確保する。その結果カーテンの開閉は保持器内にカーテンを収納取り出しの簡単な操作になり保持器を壁、窓枠、カーテン表面に直接固定する事で常に室内装飾品としての価値を高め個人の好みや季節毎に対応して造花や、アクセサリー等のマスコットや装飾用ＬＥＤを自由に取り付けられる構造で、特に若い女性の好みや楽しみに応じて癒しの空間になり子供には情操や思考力を豊かにする効果を備えた構造の装飾的カーテン保持器である。
【図面の簡単な説明】
【図１】本考案の保持器本体を壁に取り付ける時の外観構造図
【図２】本考案の保持器本体を窓枠及びカーテン直に取り付ける時の外観構造図
【図３】愛玩動物の模りの写真を樹脂板に貼り裏側にフックを付ける構造図
【図４】本考案の保持器本体をカーテンに取り付け時のカーテン開閉時の外観構図
【考案を実施する為の形態】
【００１０】  保持器本体の材質は各種樹脂材で成型や樹脂板又は金属板を加工して任意の着色や塗装を施し保持器全体をコノ字の角型や正面中央部を円弧状、ハート形にして、保持器の表面には愛玩動物、山岳や一般風景、サンゴ礁の写真や印刷した樹脂シートや、布、レザー等を貼り付ける。又は前述の写真等を実際に模りした物をに薄い厚さの樹脂板又は金属板を貼り付けて裏にフックや両面テープで保持器の正面部に取り付けて好みに応じて美的価値に優れた構造にする。保持器は壁に取り付ける時は取り付け側の側面板の先端をＬ形に曲げて穴を設けネジで固定する。窓枠に取り付ける時は同じく側面板先端の穴にネジで固定する。カーテン直に取り付ける時は側面と正面の上下にある複数の穴に糸で固定する。片方の側面板はカーテンを収納してはみ出しを防ぐ大きさにする。尚保持器本体の正面と側面部には小物アクセサリー等取り付ける穴、裏面には造花等を取り付ける円筒形の筒を設ける構造とする。
【実施例】
【００１０】  以下添付図面に従って実施例を説明する。
［図１］は保持器本体で樹脂成型又は樹脂板、金属板を加工して着色や塗装して１は保持器を壁に固定する基本形で外観はコノ字形の角形で側面板をＬ形に曲げて１ａの穴にネジで取付ける構造図
［図２］は２の保持器の正面部を半円弧状にした時の保持器で側面の２ａの穴で窓枠に固定する尚３はカーテンに直に取り付ける時の保持器の形状で２の保持器の２ｂの１点鎖線を切断し左右側板の形状を同じする３ｂの複数の穴に糸でカーテンに固定する。４は造花を取り付ける円筒形の筒で各保持器の正面の裏側に固定する。
［図３］は５愛玩動物等を模りした写真等を６は薄い樹脂板又は金属板で表面に５を貼り裏側には７フックを取り付け又は両面テープで６を保持器正面部に固定個人の好みに対応できる構造。
［図４］はカーテンを実際に窓に取り付けた状態のカーテンの開閉時の外観図でカーテンを閉じた時に保持器がカーテンの中央部に位置するのは、カーテンを任意の位置に直に取り付けた時の状態を示す。３はカーテン直に取り付ける時の形状で、ハート形も同様に左右に側面を設けて各箇所に取り付け出来る構造。
【符号の説明】
【００１１】１    壁に取り付ける時の保持器がコノ字の角形の形状。
１ａ  穴で壁に取り付ける時側面板をＬ形に曲げて設ける。
２    窓枠に取り付ける時の保持器で円弧状の形状。
２ａ  穴で窓枠に取り付ける。
２ｂ  カーテン直に取り付け時の保持器にする為に２保持器を１点鎖線の箇所で切断する。
３    カーテン直に取りつけ時の保持器で円弧状の形状。
３ａ  ３保持器をカーテンに取りつける穴。
４    造花を固定する円筒形の筒。
５    愛頑動物等の模りをした写真。
６    薄い樹脂板又は金属板。
７    フック。
（１）保持器表面には愛玩動物、山岳、一般風景の写真、印刷した樹脂シート、紙、布や、レザーを接着する構造。
（２）又は上述の写真を実物に模りして他の薄い厚さの樹脂板や金属板に貼り付け立体感を強調し裏面にフックを固定し保持器本体の正面部の上部にフック又は両面テープで固定する構造。
（３）保持器の裏側に複数の円筒形の筒を固定し造花を挿入し簡単に交換出来る構造。
（４）保持器全体に複数の穴を設けて好みの装飾品、マスコットや装飾ＬＥＤを個人の好みに応じて穴に取り付け更にシールを保持器表面に貼り付けられる構造。
以上のようなカーテン保持器の構造で従来のタッセルやフックは使用しない為に幼児の生命の危険を排除して開閉も保持器内にカーテンを収納、取り出すだけの簡単な操作になりカーテンの開閉に関係なく常に美的装飾品として各人の好みに対応して楽しめる価値ある構造を備えた装飾的カーテン保持器。
【図１】
0003193925.tif 000003
【図２】
0003193925.tif 000004
【図３】
0003193925.tif 000005
【図４】
0003193925.tif 000006
【手続補正書】
【提出日】平成26年8月12日(2014.8.12)
【手続補正１】
【補正対象書類名】実用新案登録請求の範囲
【補正対象項目名】全文
【補正方法】変更
【補正の内容】
【実用新案登録請求の範囲】
【請求項１】
保持器本体は不燃性樹脂材で一体成型又は樹脂板及び金属板を加工し外観正面部は角形、半円筒形、ハート形で夫々左右に側面を設けて任意に着色や塗装を施し保持器の片側の側面の先端をＬ形に曲げたりして穴を設け壁や窓枠に螺子で固定し片方の側面はカーテン収納時に、はみ出し防止の目的を基本形とするが若し壁や窓枠に取り付けるスペースがない時は保持器本体にある複数個の小孔を糸でカーテン表面の任意の位置に直接固定出来て保持器本体には次の各項目の写真、印刷物や装飾部品を取り付け出来る左右の両カーテンに共通使用出来るカーテン保持器である。
（１）保持器本体の表面には動物、山岳風景や好みの写真、印刷した樹脂シートや布、レザーを接着して美的価値と個人の好みに対応出来る構造
（２）更に（１）を薄い樹脂シートに貼り実物に模りして実物感を強調し保持器上部にフックや両面テープで保持器表面に固定し容易に交換出来る構造
（３）保持器本体の正面の裏側に複数の円筒形の筒を設けて造花を挿入し季節や好みに対応して交換出来る構造
（４）保持器本体に複数個の小孔を設けて好みの装飾部品や小型ＬＥＤ照明装置を取り付け出来る構造
以上のように個人の好みで自由に装飾部品を取り付ける事が出来る特徴があり従来のタッセルは使用しない為、安全性にも優れた構造のカーテン保持器。